(57)【要約】  本発明の様々な実施形態は、デュアル接続システムにおけるフロー・コントロールの為の方法及び装置を提供する。プライマリ基地局（ＰＢＳ）側における方法は、セカンダリ基地局（ＳＢＳ）の第１の通信情報（ＣＩ１）及びＰＢＳの第２の通信情報（ＣＩ２）を入手するステップを含み、ＣＩ１はＳＢＳの負荷情報及びチャネル情報の内の少なくとも１つを含み、ＣＩ２は、ＰＢＳの負荷情報及びチャネル情報の内の少なくとも１つを含む。本方法は更に、ＣＩ１及びＣＩ２に基づき第１の無線ベアラに関するフロー比率を特定するステップを含む。本方法は更に、フロー比率をユーザ端末へ伝送するステップを含む。ＰＢＳはＣＩ１及びＣＩ２に基づきフロー比率を特定し、それによってユーザ端末はそのフロー比率に基づき其々ＰＢＳ及びＳＢＳを通じて第１のベアラ上でデータを伝送し、それによって効果的なフロー・コントロールを達成する。
2017513370.tif 000002
【特許請求の範囲】
【請求項１】
デュアル接続システムにおけるフロー・コントロールのための方法であって、
セカンダリ基地局の第１の通信情報およびプライマリ基地局の第２の通信情報を入手するステップであり、前記第１の通信情報が、前記セカンダリ基地局の負荷情報およびチャネル情報のうちの少なくとも１つを含み、前記第２の通信情報が、前記プライマリ基地局の負荷情報およびチャネル情報のうちの少なくとも１つを含む、入手するステップと、
前記第１の通信情報および前記第２の通信情報に基づいて第１の無線ベアラに関するフロー比率を特定するステップと、
前記フロー比率をユーザ端末へ伝送するステップと、
を含む、方法。
【請求項２】
前記セカンダリ基地局の前記負荷情報が、すべての無線ベアラ上の前記セカンダリ基地局の合計負荷、および前記第１の無線ベアラ上の前記セカンダリ基地局の負荷のうちの少なくとも１つを含み、
前記セカンダリ基地局の前記チャネル情報が、前記セカンダリ基地局のチャネル状況、および前記セカンダリ基地局のチャネル品質インジケータＣＱＩのうちの少なくとも１つを含み、
前記プライマリ基地局の前記負荷情報が、すべての無線ベアラ上の前記プライマリ基地局の合計負荷、および前記第１の無線ベアラ上の前記プライマリ基地局の負荷のうちの少なくとも１つを含み、
前記プライマリ基地局の前記チャネル情報が、前記プライマリ基地局のチャネル状況、および前記プライマリ基地局のチャネル品質インジケータＣＱＩのうちの少なくとも１つを含む、
請求項１に記載の方法。
【請求項３】
前記セカンダリ基地局の前記負荷情報が、前記セカンダリ基地局から入手され、
前記セカンダリ基地局の前記チャネル情報が、前記セカンダリ基地局または前記ユーザ端末から入手され、
前記プライマリ基地局の前記負荷情報が、前記プライマリ基地局から直接入手され、
前記プライマリ基地局の前記チャネル情報が、前記ユーザ端末から入手される、
請求項１に記載の方法。
【請求項４】
前記セカンダリ基地局の前記負荷情報および前記チャネル情報ならびに前記プライマリ基地局の前記チャネル情報のそれぞれが、定期的にまたはトリガーされたイベントに従って伝送される、請求項１に記載の方法。
【請求項５】
前記ユーザ端末によって前記第１の無線ベアラに関して報告されたフィードバック・メッセージを受信するステップをさらに含み、
前記第１の無線ベアラに関する前記フロー比率が、前記第１および第２の通信情報に基づいて、ならびに／または前記フィードバック・メッセージに基づいて、定期的にまたはトリガーされたイベントに従って特定される、請求項１乃至４のいずれか１項に記載の方法。
【請求項６】
前記フィードバック・メッセージが、メディア・アクセス・コントロールのコントロール要素ＭＡＣ  ＣＥを介して伝送され、前記フィードバック・メッセージが、定期的にまたはトリガーされたイベントに従って報告される、請求項５に記載の方法。
【請求項７】
前記フィードバック・メッセージが、それぞれ前記プライマリ基地局および前記セカンダリ基地局に対応する前記第１の無線ベアラのバッファ・エリアにおけるバッファされているデータのボリュームを含み、
前記ＭＡＣ  ＣＥが、それぞれ前記プライマリ基地局および前記セカンダリ基地局に対応する前記バッファ・エリアにおけるバッファされているデータの前記ボリュームに対応するバッファ・ステータス・レポートＢＳＲを含み、新たな論理チャネル識別子ＬＣＩＤによって識別される、
請求項５に記載の方法。
【請求項８】
前記フィードバック・メッセージが、それぞれ前記プライマリ基地局および前記セカンダリ基地局に対応する前記第１の無線ベアラのバッファ・エリアにおけるバッファされているデータのボリュームどうしの間における比率を含む、請求項５に記載の方法。
【請求項９】
前記フィードバック・メッセージが、第１のインジケータを含み、
前記第１のインジケータが、それぞれ前記プライマリ基地局および前記セカンダリ基地局に対応する前記第１の無線ベアラのバッファ・エリアにおけるバッファされているデータのボリュームどうしの間における前記比率が、第１のしきい値よりも大きいかどうか、または第２のしきい値よりも小さいかどうかを示す、請求項５に記載の方法。
【請求項１０】
前記フィードバック・メッセージが、第２のインジケータおよび第３のインジケータを含み、
前記第２のインジケータが、前記プライマリ基地局に対応する前記第１の無線ベアラのバッファ・エリアにおけるバッファされているデータの前記ボリュームが、第３のしきい値よりも大きいかどうか、または第４のしきい値よりも小さいかどうかを示し、
前記第３のインジケータが、前記セカンダリ基地局に対応する前記第１の無線ベアラのバッファ・エリアにおけるバッファされているデータの前記ボリュームが、第５のしきい値よりも大きいかどうか、または第６のしきい値よりも小さいかどうかを示す、
請求項５に記載の方法。
【請求項１１】
デュアル接続システムにおけるフロー・コントロールのための方法であって、
第１の無線ベアラに関するフロー比率をプライマリ基地局から受信するステップと、
それぞれ前記プライマリ基地局およびセカンダリ基地局を通じて前記第１の無線ベアラ上で伝送されることになるデータを前記フロー比率に基づいて特定するステップと、
を含む、方法。
【請求項１２】
それぞれ前記プライマリ基地局および前記セカンダリ基地局を通じて前記第１の無線ベアラ上で伝送されることになるデータを前記フロー比率に基づいて特定するステップが、
前記プライマリ基地局へ伝送されることになる第１のデータ、および前記セカンダリ基地局へ伝送されることになる第２のデータを前記フロー比率および伝送されることになる前記合計データに基づいて特定するステップと、
前記第１のデータを、前記プライマリ基地局へ伝送されるように、前記プライマリ基地局に対応する前記第１の無線ベアラのバッファ・エリアへとバッファするステップと、
前記第２のデータを、前記セカンダリ基地局へ伝送されるように、前記セカンダリ基地局に対応する前記第１の無線ベアラのバッファ・エリアへとバッファするステップと、
を含む、請求項１１に記載の方法。
【請求項１３】
それぞれ前記プライマリ基地局および前記セカンダリ基地局に対応する前記第１の無線ベアラのバッファ・エリアにおけるバッファされているデータのボリュームに基づいてフィードバック・メッセージを前記プライマリ基地局へ報告するステップをさらに含む、請求項１１または１２に記載の方法。
【請求項１４】
デュアル接続システムにおけるフロー・コントロールのための装置であって、
セカンダリ基地局の第１の通信情報およびプライマリ基地局の第２の通信情報を入手するように構成されている入手ユニットであり、前記第１の通信情報が、前記セカンダリ基地局の負荷情報およびチャネル情報のうちの少なくとも１つを含み、前記第２の通信情報が、前記プライマリ基地局の負荷情報およびチャネル情報のうちの少なくとも１つを含む、入手ユニットと、
前記第１の通信情報および前記第２の通信情報に基づいて第１の無線ベアラに関するフロー比率を特定するように構成されている特定ユニットと、
前記フロー比率をユーザ端末へ伝送するように構成されている伝送ユニットと、
を含む、装置。
【請求項１５】
デュアル接続システムにおけるフロー・コントロールのための装置であって、
第１の無線ベアラに関するフロー比率をプライマリ基地局から受信するように構成されている受信ユニットと、
それぞれ前記プライマリ基地局およびセカンダリ基地局を通じて前記第１の無線ベアラ上で伝送されることになるデータを前記フロー比率に基づいて特定するように構成されている特定ユニットと、
を含む装置。
【発明の詳細な説明】
【技術分野】
【０００１】
本発明の実施形態は、一般にはワイヤレス通信の分野に関し、より具体的には、デュアル接続システムにおけるフロー・コントロールのための方法および装置に関する。
【背景技術】
【０００２】
通信テクノロジーの絶え間ない発展に伴って、レガシーの通信ネットワーク・アーキテクチャーに基づいて、改良された通信システムが絶えず開発されてきた。
【０００３】
デュアル接続システムは、提案されている改良された通信システムである。デュアル接続システムにおいては、ユーザ端末が、同時に２つの（またはそれよりも多くの）基地局とのアップリンクおよびダウンリンクの通信を有することができる。ユーザ端末と通信している２つの（またはそれよりも多くの）基地局の間では、デュアル接続システムの通信を管理することができるプライマリ基地局があり、その一方で、残りの基地局がセカンダリ基地局である。加えて、デュアル接続システムにおいては、ダウンリンクが、２種類のユーザ・プレーン・アーキテクチャー、すなわち、ユーザ・プレーン・アーキテクチャー１Ａおよび３Ｃを採用することができるということが合意されている。アップリンクにおいてはユーザ・プレーン・アーキテクチャーが合意されていないが、ユーザ・プレーン・アーキテクチャー３Ｃによってもたらされる利得に起因して、このユーザ・プレーン・アーキテクチャーの適用が広く論じられている。ユーザ・プレーン・アーキテクチャー３Ｃにおいては、プライマリ基地局およびセカンダリ基地局は、１つの無線ベアラのためにサービス提供することができる。そのような無線ベアラは、分割ベアラと呼ばれる。
【０００４】
デュアル接続システムのアップリンク通信においては、ユーザ端末は、分割ベアラ上で伝送されることになるデータの一部分を、プライマリ基地局を通じて同時に伝送することができ、その一方で、残りの部分はセカンダリ基地局を通じて伝送される。これは、フロー・コントロールの問題を含む。したがって、それぞれプライマリ基地局およびセカンダリ基地局を通じて伝送されるデータ量を特定するための効果的なフロー・コントロール・スキームが望まれており、そのフロー・コントロール・スキームを通信状況の変動に基づいて動的に調整することも望まれている。
【発明の概要】
【発明が解決しようとする課題】
【０００５】
本発明の実施形態の目的は、デュアル接続システムにおける効果的なフロー・コントロール・スキームを提供することである。
【課題を解決するための手段】
【０００６】
本発明の第１の態様によれば、デュアル接続システムにおけるフロー・コントロールのための方法が提供される。この方法は、セカンダリ基地局の第１の通信情報およびプライマリ基地局の第２の通信情報を入手するステップを含み、第１の通信情報は、セカンダリ基地局の負荷情報およびチャネル情報のうちの少なくとも１つを含み、第２の通信情報は、プライマリ基地局の負荷情報およびチャネル情報のうちの少なくとも１つを含む。この方法はまた、第１の通信情報および第２の通信情報に基づいて第１の無線ベアラに関するフロー比率を特定するステップを含む。この方法はさらに、フロー比率をユーザ端末へ伝送するステップを含む。
【０００７】
本発明の一実施形態によれば、セカンダリ基地局の負荷情報は、すべての無線ベアラ上のセカンダリ基地局の合計負荷、および第１の無線ベアラ上のセカンダリ基地局の負荷のうちの少なくとも１つを含み、セカンダリ基地局のチャネル情報は、セカンダリ基地局のチャネル状況、およびセカンダリ基地局のチャネル品質インジケータＣＱＩのうちの少なくとも１つを含み、プライマリ基地局の負荷情報は、すべての無線ベアラ上のプライマリ基地局の合計負荷、および第１の無線ベアラ上のプライマリ基地局の負荷のうちの少なくとも１つを含み、プライマリ基地局のチャネル情報は、プライマリ基地局のチャネル状況、およびプライマリ基地局のチャネル品質インジケータＣＱＩのうちの少なくとも１つを含む。
【０００８】
本発明の一実施形態によれば、セカンダリ基地局の負荷情報は、セカンダリ基地局から入手され、セカンダリ基地局のチャネル情報は、セカンダリ基地局またはユーザ端末から入手され、プライマリ基地局の負荷情報は、プライマリ基地局から直接入手され、プライマリ基地局のチャネル情報は、ユーザ端末から入手される。
【０００９】
本発明の一実施形態によれば、第１の無線ベアラは、分割ベアラである。
【００１０】
本発明の一実施形態によれば、フロー比率は、無線リソース・コントロールＲＲＣシグナリングを通じてユーザ端末へ伝送される。
【００１１】
本発明の一実施形態によれば、セカンダリ基地局の負荷情報、セカンダリ基地局のチャネル情報、およびプライマリ基地局のチャネル情報のそれぞれは、定期的に、またはトリガーされたイベントに従って伝送される。
【００１２】
本発明の一実施形態によれば、この方法はさらに、ユーザ端末によって第１の無線ベアラに関して報告されたフィードバック・メッセージを受信するステップを含む。
【００１３】
本発明のさらなる一実施形態によれば、第１の無線ベアラに関するフロー比率は、第１および第２の通信情報に基づいて、ならびに／またはフィードバック・メッセージに基づいて、定期的に、またはトリガーされたイベントに従って特定される。
【００１４】
本発明の一実施形態によれば、フィードバック・メッセージは、メディア・アクセス・コントロールのコントロール要素ＭＡＣ  ＣＥを介して伝送される。フィードバック・メッセージは、定期的に、またはトリガーされたイベントに従って報告される。
【００１５】
本発明の一実施形態によれば、フィードバック・メッセージは、それぞれプライマリ基地局およびセカンダリ基地局に対応する第１の無線ベアラのバッファ・エリアにおけるバッファされているデータのボリュームを含む。一実施形態においては、ＭＡＣ  ＣＥは、それぞれプライマリ基地局およびセカンダリ基地局に対応するバッファ・エリアにおけるバッファされているデータのボリュームに対応するバッファ・ステータス・レポートＢＳＲを含み、新たな論理チャネル識別子ＬＣＩＤによって識別される。
【００１６】
本発明の別の実施形態によれば、フィードバック・メッセージは、それぞれプライマリ基地局およびセカンダリ基地局に対応する第１の無線ベアラのバッファ・エリアにおけるバッファされているデータのボリュームどうしの間における比率を含む。
【００１７】
本発明のさらなる一実施形態によれば、フィードバック・メッセージは、第１のインジケータを含み、その第１のインジケータは、それぞれプライマリ基地局およびセカンダリ基地局に対応する第１の無線ベアラのバッファ・エリアにおけるバッファされているデータのボリュームどうしの間における比率が第１のしきい値よりも大きいかどうか、または第２のしきい値よりも小さいかどうかを示す。
【００１８】
本発明のまたさらなる一実施形態によれば、フィードバック・メッセージは、第２のインジケータおよび第３のインジケータを含み、第２のインジケータは、プライマリ基地局に対応する第１の無線ベアラのバッファ・エリアにおけるバッファされているデータのボリュームが第３のしきい値よりも大きいかどうか、または第４のしきい値よりも小さいかどうかを示し、第３のインジケータは、セカンダリ基地局に対応する第１の無線ベアラのバッファ・エリアにおけるバッファされているデータのボリュームが第５のしきい値よりも大きいかどうか、または第６のしきい値よりも小さいかどうかを示す。
【００１９】
本発明の第２の態様によれば、デュアル接続システムにおけるフロー・コントロールのための方法が提供される。この方法は、第１の無線ベアラに関するフロー比率をプライマリ基地局から受信するステップを含む。この方法はさらに、それぞれプライマリ基地局およびセカンダリ基地局を通じて第１の無線ベアラ上で伝送されることになるデータをフロー比率に基づいて特定するステップを含む。
【００２０】
本発明の一実施形態によれば、フロー比率は、無線リソース・コントロールＲＲＣシグナリングを通じて受信される。
【００２１】
本発明の一実施形態によれば、第１の無線ベアラは、分割ベアラである。
【００２２】
本発明の一実施形態によれば、それぞれプライマリ基地局およびセカンダリ基地局を通じて第１の無線ベアラ上で伝送されることになるデータをフロー比率に基づいて特定するステップは、プライマリ基地局へ伝送されることになる第１のデータ、およびセカンダリ基地局へ伝送されることになる第２のデータをフロー比率および伝送されることになる合計データに基づいて特定するステップと、第１のデータを、プライマリ基地局へ伝送されるように、プライマリ基地局に対応する第１の無線ベアラのバッファ・エリアへとバッファするステップと、第２のデータを、セカンダリ基地局へ伝送されるように、セカンダリ基地局に対応する第１の無線ベアラのバッファ・エリアへとバッファするステップとを含む。
【００２３】
本発明のさらなる一実施形態によれば、この方法はさらに、それぞれプライマリ基地局およびセカンダリ基地局に対応する第１の無線ベアラのバッファ・エリアにおけるバッファされているデータのボリュームに基づいてフィードバック・メッセージをプライマリ基地局へ報告するステップを含む。
【００２４】
本発明の一実施形態によれば、フィードバック・メッセージは、メディア・アクセス・コントロールのコントロール要素ＭＡＣ  ＣＥを介して伝送される。
【００２５】
本発明の一実施形態によれば、フィードバック・メッセージは、定期的に、またはトリガーされたイベントに従ってプライマリ基地局へ報告される。
【００２６】
本発明の一実施形態によれば、フィードバック・メッセージは、それぞれプライマリ基地局およびセカンダリ基地局に対応する第１の無線ベアラのバッファ・エリアにおけるバッファされているデータのボリュームを含む。一実施形態においては、ＭＡＣ  ＣＥは、それぞれプライマリ基地局およびセカンダリ基地局に対応するバッファ・エリアにおけるバッファされているデータのボリュームに対応するバッファ・ステータス・レポートＢＳＲを含み、新たな論理チャネル識別子ＬＣＩＤによって識別される。
【００２７】
本発明の別の実施形態によれば、フィードバック・メッセージは、それぞれプライマリ基地局およびセカンダリ基地局に対応する第１の無線ベアラのバッファ・エリアにおけるバッファされているデータのボリュームどうしの間における比率を含む。
【００２８】
本発明のさらなる実施形態によれば、フィードバック・メッセージは、第１のインジケータを含み、その第１のインジケータは、それぞれプライマリ基地局およびセカンダリ基地局に対応する第１の無線ベアラのバッファ・エリアにおけるデータ量どうしの間における比率が第１のしきい値よりも大きいということ、または第２のしきい値よりも小さいということを示す。
【００２９】
本発明のまたさらなる一実施形態によれば、フィードバック・メッセージは、第２のインジケータおよび第３のインジケータを含み、第２のインジケータは、プライマリ基地局に対応する第１の無線ベアラのバッファ・エリアにおけるバッファされているデータのボリュームが第３のしきい値よりも大きいかどうか、または第４のしきい値よりも小さいかどうかを示し、第３のインジケータは、セカンダリ基地局に対応する第１の無線ベアラのバッファ・エリアにおけるバッファされているデータ量が第５のしきい値よりも大きいかどうか、または第６のしきい値よりも小さいかどうかを示す。
【００３０】
本発明の第３の態様によれば、デュアル接続システムにおけるフロー・コントロールのための装置が提供される。この装置は、セカンダリ基地局の第１の通信情報およびプライマリ基地局の第２の通信情報を入手するように構成されている入手ユニットを含み、第１の通信情報は、セカンダリ基地局の負荷情報およびチャネル情報のうちの少なくとも１つを含み、第２の通信情報は、プライマリ基地局の負荷情報およびチャネル情報のうちの少なくとも１つを含む。この装置はまた、第１の通信情報および第２の通信情報に基づいて第１の無線ベアラに関するフロー比率を特定するように構成されている特定ユニットを含む。この装置はさらに、フロー比率をユーザ端末へ伝送するように構成されている伝送ユニットを含む。
【００３１】
本発明の第４の態様によれば、デュアル接続システムにおけるフロー・コントロールのための装置が提供される。この装置は、第１の無線ベアラに関するフロー比率をプライマリ基地局から受信するように構成されている受信ユニットを含む。この装置はさらに、それぞれプライマリ基地局およびセカンダリ基地局を通じて第１の無線ベアラ上で伝送されることになるデータをフロー比率に基づいて特定するように構成されている特定ユニットを含む。
【００３２】
本発明のさまざまな態様においては、プライマリ基地局は、第１の通信情報および第２の通信情報に基づいてフロー比率を特定し、それによってユーザ端末は、そのフロー比率に基づいてそれぞれプライマリ基地局およびセカンダリ基地局を通じて第１のベアラ上でデータを効果的に伝送する。加えて、プライマリ基地局は、ユーザ端末からの第１の通信情報および第２の通信情報ならびにフィードバック・メッセージに基づいて、定期的に、またはトリガーされたイベントに従ってフロー比率を繰り返し動的に調整することもでき、それによってフロー・コントロール・スキームは、変動したチャネル状況および負荷状況に合わせ、それによって、より効果的なフロー・コントロールを達成する。
【００３３】
本発明の実施形態の上述およびその他の目的、特徴、および利点は、添付の図面を参照すれば、以降の詳細な説明からさらに明らかになるであろう。それらの図面においては、本発明のいくつかの実施形態が、限定的ではなく例示的な形で示されている。
【図面の簡単な説明】
【００３４】
【図１】本発明の一実施形態による、デュアル接続システムにおけるフロー・コントロールのためにプライマリ基地局側において実施される方法を示す図である。
【図２】本発明の一実施形態による、デュアル接続システムにおけるフロー・コントロールのためにユーザ端末側において実施される方法を示す図である。
【図３】本発明の実施形態による、ユーザ端末におけるデータ・フロー・コントロールの概略図である。
【図４】本発明の実施形態による、バッファされているデータのボリュームを報告するためのメッセージの例示的なフォーマットを示す図である。
【図５】本発明の実施形態による、プライマリ基地局、セカンダリ基地局、およびユーザ端末の間における情報のやり取りの概略図である。
【図６】本発明の一実施形態による、デュアル接続システムにおけるフロー・コントロールのための装置の概略ブロック図である。
【図７】本発明の別の実施形態による、デュアル接続システムにおけるフロー・コントロールのための装置の概略ブロック図である。
【発明を実施するための形態】
【００３５】
以降では、本発明の原理および趣旨について、図面において示されているいくつかの例示的な実施形態を参照しながら説明する。これらの実施形態は、当業者が本発明をよりよく理解して次いでさらに本発明を実施することを可能にするために説明されているにすぎず、いかなる様式であれ本発明の範囲を限定することを意図されているものではないということを理解されたい。
【００３６】
デュアル接続システムにおいては、同じ無線ベアラのためのデータを複数の基地局が伝送する場合に、アップリンク通信は、伝送されることになるデータに対するフロー・コントロールをユーザ端末において実行するという問題を含む。プライマリ基地局を通じて伝送されるデータおよびセカンダリ基地局を通じて伝送されるデータの妥当な割り当てがあれば、データ通信をより効果的に実行することができる。
【００３７】
図１は、本発明の実施形態による、デュアル接続システムにおけるフロー・コントロールのための方法１００のフローチャートを示している。方法１００は、プライマリ基地局側において実施されることが可能である。方法１００におけるさまざまなステップは、さまざまな順序で実行されること、および／または並列に実行されることが可能であるということを理解されたい。方法１００は、さらなるステップを含むこと、および／または示されているステップの実行を省略することも可能である。本発明の範囲は、この点について限定されるものではない。
【００３８】
ステップＳ１０１において、プライマリ基地局は、セカンダリ基地局の第１の通信情報、およびプライマリ基地局の第２の通信情報を入手し、第１の通信情報は、セカンダリ基地局の負荷情報およびチャネル情報のうちの少なくとも１つを含み、第２の通信情報は、プライマリ基地局の負荷情報およびチャネル情報のうちの少なくとも１つを含む。
【００３９】
デュアル接続システムにおいては、プライマリ基地局は、フロー・コントロール機能モジュールを有することができ、それによって、ユーザ端末およびセカンダリ基地局は、フロー・コントロールにとって必要とされる情報をプライマリ基地局のフロー・コントロール機能モジュールへ伝送することができ、それによって、そのような情報に基づいてフロー比率が特定される。本発明のさまざまな実施形態においては、デュアル接続システムにおけるプライマリ基地局は、通信ネットワークにおけるマクロ基地局、ミクロ基地局、ピコ基地局などであることが可能であり、その一方で、セカンダリ基地局も、通信ネットワークにおけるマクロ基地局、ミクロ基地局、ピコ基地局などであることが可能であるということに留意されたい。セカンダリ基地局の数字は、１つであることが可能であり、その他のいくつかのケースにおいては複数であることも可能である。
【００４０】
本発明の一実施形態によれば、セカンダリ基地局の負荷情報は、すべての無線ベアラ上のセカンダリ基地局の合計負荷、および第１の無線ベアラ上のセカンダリ基地局の負荷のうちの少なくとも１つを含み、セカンダリ基地局のチャネル情報は、セカンダリ基地局のチャネル状況、およびセカンダリ基地局のＣＱＩのうちの少なくとも１つを含む。その上、プライマリ基地局の負荷情報は、すべての無線ベアラ上のプライマリ基地局の合計負荷、および第１の無線ベアラ上のプライマリ基地局の負荷のうちの少なくとも１つを含み、プライマリ基地局のチャネル情報は、プライマリ基地局のチャネル状況、およびプライマリ基地局のＣＱＩのうちの少なくとも１つを含む。
【００４１】
本発明の実施形態においては、プライマリ基地局およびセカンダリ基地局は、それぞれ１つまたは複数の無線ベアラのためにサービス提供することができる。第１の無線ベアラは、現在ユーザ端末の観点からフロー・コントロールを必要としているベアラを指す。ユーザ端末は、プライマリ基地局およびセカンダリ基地局へのデュアル接続を有する。現在関係しているユーザ端末にとって、第１の無線ベアラは、分割ベアラである。なぜなら、第１の無線ベアラ上のユーザ端末のデータは、プライマリ基地局およびセカンダリ基地局を通じて同時に伝送されることが可能であるからである。
【００４２】
第１の無線ベアラ上の関係しているユーザ端末によって生み出された負荷に加えて、第１の無線ベアラ上のセカンダリ基地局の負荷は、第１の無線ベアラ上のネットワーク内のその他のユーザ端末によって生み出された負荷を含む場合もあるということに留意されたい。本発明の一実施形態によれば、プライマリ基地局およびセカンダリ基地局は、それぞれ自分自身の負荷情報を収集することができる。さらに、プライマリ基地局によって実行されるフロー・コントロールの機能のために、プライマリ基地局は、セカンダリ基地局から伝送されるセカンダリ基地局の負荷情報を入手することができ、プライマリ基地局は、自分の負荷情報を自分自身から入手することができる。すべての無線ベアラ上の負荷、および関係している第１の無線ベアラ上の負荷は、すべて負荷情報に含まれ、結合してまたは別々に伝送されることが可能であるということが理解されるであろう。
【００４３】
本発明の実施形態においては、セカンダリ基地局のチャネル状況は、セカンダリ基地局からユーザ端末への基準信号受信パワー（ＲＳＲＰ）または基準信号受信品質（ＲＳＲＱ）などを含むことができる。同様に、プライマリ基地局のチャネル状況は、プライマリ基地局からユーザ端末への基準信号受信パワー（ＲＳＲＰ）または基準信号受信品質（ＲＳＲＱ）などを含むことができる。本発明のその他の実施形態においては、プライマリ基地局およびセカンダリ基地局のチャネル状況は、追加として、または代替として、チャネル状況を示すその他のパラメータを含むこともできる。
【００４４】
本発明の一実施形態によれば、ユーザ端末は、プライマリ基地局およびセカンダリ基地局それぞれのチャネル情報を測定および特定することができ、チャネル情報は、チャネル状況およびＣＱＩなどを含むことができる。ユーザ端末は、プライマリ基地局のチャネル情報をプライマリ基地局へ直接伝送することができる。ユーザ端末は、セカンダリ基地局のチャネル情報をプライマリ基地局へ直接伝送すること、またはセカンダリ基地局のチャネル情報をはじめにセカンダリ基地局へ伝送して、次いでセカンダリ基地局がその情報をプライマリ基地局へ転送することも可能である。チャネル情報に含まれるチャネル状況およびＣＱＩは、結合してまたは別々に伝送されることが可能であるということが理解されるであろう。
【００４５】
方法１００は、ステップＳ１０２へ進む。ステップＳ１０２において、プライマリ基地局は、第１の通信情報および第２の通信情報に基づいて第１の無線ベアラに関するフロー比率を特定する。
【００４６】
本発明の実施形態においては、第１の無線ベアラに関するフロー比率は、プライマリ基地局およびセカンダリ基地局を通じて伝送されることになる第１の無線ベアラ上のデータ・ボリュームをユーザ端末がどのように割り当てるかを示すために使用される。一実施形態においては、フロー比率は、第１の無線ベアラ上の合計データ・ボリュームに対する、プライマリ基地局を通じて伝送されることになる第１の無線ベアラ上のデータ・ボリュームのパーセンテージであることが可能である。別の実施形態においては、フロー比率は、第１の無線ベアラの合計データ・ボリュームに対する、セカンダリ基地局を通じて伝送されることになる第１の無線ベアラ上のデータ・ボリュームのパーセンテージであることが可能である。さらなる一実施形態においては、フロー比率は、セカンダリ基地局を通じて伝送されることになる第１の無線ベアラ上のデータ・ボリュームに対する、プライマリ基地局を通じて伝送されることになる第１の無線ベアラ上のデータ・ボリュームの比率、またはプライマリ基地局を通じて伝送されることになる第１の無線ベアラ上のデータ・ボリュームに対する、セカンダリ基地局を通じて伝送されることになる第１の無線ベアラ上のデータ・ボリュームの比率であることも可能である。
【００４７】
本発明の実施形態によれば、プライマリ基地局は、ステップＳ１０１において、ユーザ端末およびセカンダリ基地局からの情報ならびに自分自身から入手される情報を受信する。そのような情報に基づいて、プライマリ基地局は、プライマリ基地局およびセカンダリ基地局の現在のチャネル状況および負荷状況を認識し、次いでそのチャネル状況および負荷状況に基づいてフロー・コントロールのためのフロー比率を特定して、ユーザ端末の効果的なデータ伝送を可能にすることができる。
【００４８】
一実施形態においては、セカンダリ基地局とユーザ端末との間におけるチャネル状況が、プライマリ基地局とユーザ端末との間におけるチャネル状況よりも良好である場合には、伝送用にセカンダリ基地局にデータのさらに大きなボリュームをユーザ端末が割り当てるようにフロー比率が特定されることが可能である。別の実施形態においては、セカンダリ基地局の負荷状況が、プライマリ基地局の負荷状況よりも小さい場合には、伝送用にセカンダリ基地局にデータのさらに大きなボリュームをユーザ端末が割り当てるようにフロー比率が特定されることが可能である。さらなる一実施形態においては、セカンダリ基地局のチャネル状況および負荷状況を合わせて考慮して、伝送用にセカンダリ基地局に割り当てられるデータのボリュームを特定することができる。プライマリ基地局に関しても、同じ原理が当てはまる。
【００４９】
プライマリ基地局が第１の通信情報および第２の通信情報に基づいてフロー比率を特定する場合には、第１および第２の通信情報に含まれるいくつかのまたはすべての情報（たとえば、チャネル情報および負荷情報）が利用されることが可能であるということに留意されたい。本発明は、この点について制限を有していない。
【００５０】
次いで方法１００は、ステップＳ１０３へ進む。ステップＳ１０３において、プライマリ基地局は、フロー比率をユーザ端末へ伝送する。
【００５１】
本発明の実施形態によれば、フロー比率は、無線リソース・コントロール（ＲＲＣ）シグナリングを通じてユーザ端末へ伝送される。本発明のその他の実施形態によれば、フロー比率は、その他のシグナリングまたはメッセージを通じてユーザ端末へ伝送されることも可能である。
【００５２】
上述の方法１００によれば、第１の無線ベアラに関するフロー比率は、プライマリ基地局側において特定されてユーザ端末へ伝送され、それによってユーザ端末は、そのフロー比率に基づいてフロー・コントロールを実行する。
【００５３】
図２は、本発明の実施形態による、デュアル接続システムにおけるフロー・コントロールのための方法２００のフローチャートを示している。方法２００は、ユーザ端末側において実施されることが可能である。方法２００におけるさまざまなステップは、さまざまな順序で実行されること、および／または並列に実行されることが可能であるということを理解されたい。方法２００は、さらなるステップを含むこと、および／または示されているステップの実行を省略することも可能である。本発明の範囲は、この点について限定されるものではない。
【００５４】
本発明のさまざまな実施形態においては、ユーザ端末は、モバイル電話、マルチメディア・コンピュータ、マルチメディア・タブレット、デスクトップ・コンピュータ、ラップトップ・コンピュータ、ノートブック・コンピュータ、ネットブック・コンピュータ、タブレット・コンピュータ、パーソナル・コミュニケーション・システム（ＰＣＳ）デバイス、パーソナル・ナビゲーション・デバイス、携帯情報端末（ＰＤＡ）、オーディオ／ビデオ・プレーヤ、デジタル・カメラ／ビデオ・カメラ、測位デバイス、テレビジョン受信機、ラジオ放送受信機、電子ブック・デバイス、またはそれらの任意の組合せを含む任意の種類のモバイル端末、固定式端末、またはポータブル端末であることが可能であり、それらには、これらのデバイスの付属品および周辺機器、またはそれらの任意の組合せが含まれる。ユーザ端末は、ユーザ用の任意の種類のインターフェース（たとえば、「ウェアラブル」回路など）をサポートすることができるということを予測することもできる。
【００５５】
ステップＳ２０１において、ユーザ端末は、第１の無線ベアラに関するフロー比率をプライマリ基地局から受信する。
【００５６】
上述のように、第１の無線ベアラは、関係しているユーザ端末にとって分割ベアラである。なぜなら、第１の無線ベアラ上のデータは、複数の基地局を通じて伝送されることが可能であるからである。
【００５７】
本発明の一実施形態によれば、ユーザ端末は、ＲＲＣシグナリングを受信することができ、ＲＲＣシグナリングは、フロー比率を搬送し、プライマリ基地局から伝送される。本発明のその他の実施形態によれば、ユーザ端末は、フロー比率を搬送してプライマリ基地局から伝送される別のシグナリングまたはメッセージを受信することもできる。
【００５８】
方法２００は、ステップＳ２０２へ進み、ステップＳ２０２では、ユーザ端末は、それぞれプライマリ基地局およびセカンダリ基地局を通じて第１の無線ベアラ上で伝送されることになるデータをフロー比率に基づいて特定する。
【００５９】
本発明の実施形態においては、フロー比率は、プライマリ基地局を通じてどれぐらい多くのデータが具体的に伝送され、その一方でセカンダリ基地局を通じてどれぐらい多くのデータが伝送されるかを特定するために使用されることが可能である。本発明の一実施形態によれば、それぞれプライマリ基地局およびセカンダリ基地局を通じて第１の無線ベアラ上で伝送されることになるデータをフロー比率に基づいて特定するステップは、プライマリ基地局へ伝送されることになる第１のデータ、およびセカンダリ基地局へ伝送されることになる第２のデータをフロー比率および伝送されることになる合計データに基づいて特定するステップと、第１のデータを、プライマリ基地局へ伝送されるように、プライマリ基地局に対応する第１の無線ベアラのバッファ・エリアへとバッファするステップと、第２のデータを、セカンダリ基地局へ伝送されるように、セカンダリ基地局に対応する第１の無線ベアラのバッファ・エリアへとバッファするステップとを含む。この実施形態においては、伝送されることになる合計データは、伝送されることになる第１の無線ベアラ上の合計データを指す。
【００６０】
本発明のさまざまな実施形態においては、フロー比率のさまざまな形態に応じて、さまざまな様式で第１のデータおよび第２のデータが特定されることが可能である。一実施形態においては、フロー比率が、伝送されることになるデータの合計ボリュームに対する、プライマリ基地局を通じて伝送されることになる第１の無線ベアラ上のデータ・ボリュームのパーセンテージである場合には、第１のデータは、伝送されることになるデータの合計ボリュームと、フロー比率との積であり、その一方で第２のデータは、伝送されることになるデータの合計ボリュームと、第１のデータとの間における差である。別の実施形態においては、フロー比率が、伝送されることになるデータの合計ボリュームに対する、セカンダリ基地局を通じて伝送されることになる第１の無線ベアラ上のデータ・ボリュームのパーセンテージである場合には、第２のデータは、伝送されることになるデータの合計ボリュームと、フロー比率との積であり、その一方で第１のデータは、伝送されることになるデータの合計ボリュームと、第２のデータとの間における差である。さらなる一実施形態においては、フロー比率が、セカンダリ基地局を通じて伝送される第１の無線ベアラ上のデータ・ボリュームに対する、プライマリ基地局を通じて伝送されることになる第１の無線ベアラ上のデータ・ボリュームの比率である場合、またはフロー比率が、プライマリ基地局を通じて伝送されることになる第１の無線ベアラ上のデータ・ボリュームに対する、セカンダリ基地局を通じて伝送されることになる第１の無線ベアラ上のデータ・ボリュームの比率である場合には、伝送されることになるデータの合計ボリュームは、フロー比率によって示されているパーセンテージを第１のデータおよび第２のデータが満たすように分割される。その他の実施形態においては、第１のデータおよび第２のデータを計算するためにその他の方法が採用されることも可能である。本発明は、それに対する制限を特に有していない。
【００６１】
本発明の実施形態においては、ユーザ端末は、それぞれプライマリ基地局およびセカンダリ基地局に対応する無線リンク・コントロール（ＲＬＣ）エンティティーを有することができる。伝送されることになるデータがパケット・データ・コンバージェンス・プロトコル（ＰＤＣＰ）レイヤにおいて生成されると、そのデータは、フロー比率に基づいて、対応する第１のデータおよび第２のデータへと分割される。プライマリ基地局の第１のデータは、プライマリ基地局のＲＬＣエンティティー内のバッファ・エリアへとバッファされることが可能であり、その一方で、セカンダリ基地局の第２のデータは、セカンダリ基地局のＲＬＣエンティティー内のバッファ・エリアへとバッファされることが可能である。バッファ・エリアにおいてバッファされているデータは、プライマリ基地局およびセカンダリ基地局のスケジューラがそれらのデータにリソースを割り当てるのを待つ。対応するリソースが割り当てられた後に、バッファ・エリアにおいてバッファされている対応するデータは、それらの割り当てられたリソースを使用してプライマリ基地局およびセカンダリ基地局へ伝送される。
【００６２】
たとえば、図３において示されているように、プライマリ基地局から受信されたフロー比率がαであり、それは、伝送されることになるデータの合計ボリュームに対する、プライマリ基地局を通じて伝送されることになる第１の無線ベアラ上のデータ・ボリュームのパーセンテージを示しており、ＰＤＣＰレイヤにおいて生成された伝送されることになるデータの合計ボリュームがＸであると想定されたい。フロー比率α、および伝送されることになるデータの合計ボリュームＸに基づいて、データ・ボリュームＸ＊αが、プライマリ基地局に対応するＲＬＣエンティティーのバッファ・エリアへとバッファされ、その一方で、データ・ボリュームＸ＊（１−α）が、セカンダリ基地局に対応するＲＬＣエンティティーのバッファ・エリアへとバッファされる。２つのバッファ・エリアにおけるデータ・ボリュームは、プライマリ基地局およびセカンダリ基地局のスケジューラがそれらのデータ・ボリュームにリソースを割り当てるのを待つ必要があり、それによって、それらのデータ・ボリュームは、割り当てられたリソースを使用してプライマリ基地局およびセカンダリ基地局へと伝送されることが可能になる。
【００６３】
上述の方法１００に基づいて、プライマリ基地局は、ユーザ端末およびセカンダリ基地局から、ならびに自分自身から入手した情報に基づいてフロー比率を特定し、そのフロー比率をユーザ端末へ伝送することができる。上述の方法２００に基づいて、ユーザ端末は、プライマリ基地局およびセカンダリ基地局を通じて伝送されることになるデータ・ボリュームを、受信されたフロー比率に基づいて特定することができる。
【００６４】
しかしながら、プライマリ基地局およびセカンダリ基地局の負荷情報は、時間とともに絶えず変化することになるので、プライマリ基地局およびセカンダリ基地局とユーザ端末とのチャネル品質も、時間とともに絶えず変化することになり、ユーザ端末は、プライマリ基地局およびセカンダリ基地局のチャネル情報を定期的に入手することができる。したがって、本発明のさらなる一実施形態においては、セカンダリ基地局の負荷情報およびチャネル情報ならびにプライマリ基地局のチャネル情報のそれぞれは、定期的に伝送されるか、またはトリガーされたイベントに従って伝送される。
【００６５】
一実施形態においては、セカンダリ基地局の負荷情報またはチャネル情報（たとえば、合計負荷、第１の無線ベアラ上の負荷、チャネル状況、またはＣＱＩ）の変更が、プライマリ基地局へ以前に伝送された負荷情報またはチャネル情報と比較して所定のしきい値を超えている場合には、セカンダリ基地局の負荷情報またはチャネル情報をプライマリ基地局へ伝送することがトリガーされることになる。伝送されるのは、所定のしきい値を超える変動を有するパラメータのみであることが可能であり、またはセカンダリ基地局の負荷情報およびチャネル情報に含まれているすべてのパラメータであることも可能である。プライマリ基地局のチャネル情報に関しても、ユーザ端末からプライマリ基地局へのチャネル情報の伝送をトリガーするために同様の原理が採用されることが可能である。
【００６６】
本発明の別の実施形態によれば、セカンダリ基地局の負荷情報およびチャネル情報ならびにプライマリ基地局のチャネル情報を定期的に、またはトリガーされたイベントによって伝送するステップにかかわらずに、再伝送される負荷情報またはチャネル情報は、現時点での負荷情報もしくはチャネル情報、または最後の伝送からのタイム・インターバル中に測定された複数の負荷情報もしくはチャネル情報の平均値、または測定された複数の負荷情報もしくはチャネル情報内の任意の測定値であることが可能である。
【００６７】
ユーザ端末によって使用されるフロー比率がプライマリ基地局およびセカンダリ基地局のチャネル状況および負荷状況に基づいて動的に変動することを可能にするために、プライマリ基地局は、第１の通信情報および第２の通信情報に基づいて、定期的に、またはトリガーされたイベントに従って第１の無線ベアラに関するフロー比率を特定することもできる。
【００６８】
一実施形態においては、定期的な特定のケースにおいて、セカンダリ基地局またはユーザ端末によって報告される新たな情報がピリオド内に受信されない場合には、プライマリ基地局の現在の負荷情報、プライマリ基地局の以前に受信されたチャネル情報、ならびにセカンダリ基地局の負荷情報およびチャネル情報に基づいてフロー比率が特定されることが可能である。別の実施形態においては、プライマリ基地局の負荷情報またはチャネル情報（たとえば、合計負荷、第１の無線ベアラ上の負荷、チャネル状況、またはＣＱＩ）の変動が、プライマリ基地局の以前の負荷情報またはチャネル情報と比較して所定のしきい値を超えている場合には、フロー比率を特定することがトリガーされることになる。さらなる一実施形態においては、セカンダリ基地局の負荷情報またはチャネル情報（たとえば、合計負荷、第１の無線ベアラ上の負荷、チャネル状況、またはＣＱＩ）の変動が、セカンダリ基地局の以前の負荷情報またはチャネル情報と比較して所定のしきい値を超えている場合には、フロー比率を特定することがトリガーされることになる。その他の実施形態においては、プライマリ基地局は、ユーザ端末またはセカンダリ基地局によって報告された負荷情報またはチャネル情報を受信したときに、フロー比率の特定をトリガーすることができる。
【００６９】
プライマリ基地局がフロー比率を再特定した後に、その特定されたフロー比率は、以前に特定されたフロー比率と同じである場合もあり、また異なっている場合もある。一実施形態においては、特定されたフロー比率が、以前に特定されたフロー比率と異なるかどうかにかかわらず、その特定されたフロー比率は、ユーザ端末へ伝送されることになる。その他の実施形態においては、特定されたフロー比率は、その特定されたフロー比率が、以前に特定されたフロー比率と異なる場合にのみ、ユーザ端末へ伝送され、それによってユーザ端末は、プライマリ基地局およびセカンダリ基地局を通じて伝送されることになるデータ・ボリュームを、その変化したフロー比率に基づいて再特定する。
【００７０】
第１の無線ベアラに関するフロー・コントロールが、所与のユーザ端末に関して上述されているが、フロー・コントロールを必要とする複数の無線ベアラ（すなわち、分割ベアラ）が存在する場合があり、それらの無線ベアラのそれぞれが、上述のさまざまな実施形態における方法によるフロー・コントロールの対象となることが可能である。
【００７１】
第１および第２の通信情報に基づいてフロー・コントロールのためにフロー比率を特定し、更新された第１の通信情報および第２の通信情報に基づいて、定期的に、またはトリガーされたイベントに従ってフロー比率を再特定するプロセスが上述されている。次に、ユーザ端末からのフィードバック・メッセージに基づいてフロー比率を特定するさらなるプロセスについて論じる。
【００７２】
プライマリ基地局のスケジューラおよびセカンダリ基地局のスケジューラが分散されたスケジューリングを実行するので、プライマリ基地局は、どれぐらい多くのデータ量が現在セカンダリ基地局によって実際にスケジュールされているかを認識することができない。したがって、ユーザ端末におけるデータが、プライマリ基地局によって望まれているとおりのフロー比率に従って伝送されないことがあり得る。
【００７３】
たとえば、引き続き図３を参照されたい。上で示されているように、ユーザ端末において伝送されることになる合計データＸに関して、データ・ボリュームＸ＊αが、プライマリ基地局に対応するＲＬＣエンティティーのバッファ・エリアにおいてバッファされ、その一方で、データ・ボリュームＸ＊（１−α）が、セカンダリ基地局に対応するＲＬＣエンティティーのバッファ・エリアにおいてバッファされる。プライマリ基地局およびセカンダリ基地局におけるスケジューラは、対応するＲＬＣエンティティーにおけるバッファされているデータを伝送するために、自分自身のリソース利用に基づいてユーザ端末にリソースを割り当てる。したがって、割り当てられたリソースに基づいて、プライマリ基地局の対応するＲＬＣエンティティーのバッファ・エリアから伝送された実際のデータ・ボリュームがＤ１であり、セカンダリ基地局の対応するＲＬＣエンティティーのバッファ・エリアから伝送された実際のデータ・ボリュームがＤ２であると想定されたい。プライマリ基地局のフロー・コントロールから予想されるように、Ｄ１：Ｄ２は、α：（１−α）に等しくなるはずである。しかしながら、プライマリ基地局およびセカンダリ基地局のチャネル状況、負荷状況、およびリソース利用は、絶えず変化するので、プライマリ基地局およびセカンダリ基地局のスケジューラは、対応するバッファ・エリアにおけるデータを、フロー・コントロールから予想されるとおりにスケジュールしない場合がある。したがって、その結果、一方のバッファ・エリアにおけるバッファされているデータのボリュームが大きくなり、その一方で、他方のバッファ・エリアにおけるバッファされているデータのボリュームが小さくなる場合がある。極端な状況においては、一方のバッファ・エリアが完全に満たされ、その一方で、他方のバッファ・エリアが空になることさえあり得るかもしれない。
【００７４】
上述の状況に対処するために、本発明のさらなる一実施形態は、ユーザ端末側からのフィードバックに基づいてフロー比率を動的に調整する方法を提供する。
【００７５】
ユーザ端末側においては、ユーザ端末は、それぞれプライマリ基地局およびセカンダリ基地局に対応する第１の無線ベアラのバッファ・エリアにおけるバッファされているデータのボリュームに基づいてフィードバック・メッセージをプライマリ基地局へ報告することができる。
【００７６】
プライマリ基地局側においては、プライマリ基地局は、ユーザ端末によって第１の無線ベアラに関して報告されたフィードバック・メッセージを受信することができ、そのフィードバック・メッセージに基づいてフロー比率を特定することができる。一実施形態においては、プライマリ基地局は、定期的に、またはトリガーされたイベントに従ってフィードバック・メッセージに基づいて第１の無線ベアラに関するフロー比率を特定する。定期的な計算の様式に関しては、プライマリ基地局は、フィードバック・メッセージを受信した後ですぐには計算を実行しないことが可能であり、所定のタイム・ピリオドに達したときに計算を実行することができる。イベントによってトリガーされる計算の様式に関しては、プライマリ基地局は、フィードバック・メッセージの受信時にすぐに計算を実行することができ、またはフィードバック・メッセージの具体的な内容に基づいて、以降で詳細に論じられているように、計算をトリガーするかどうかを特定する。
【００７７】
一実施形態においては、フィードバック・メッセージは、メディア・アクセス・コントロールのコントロール要素（ＭＡＣ  ＣＥ）を介して伝送されることが可能である。その他の実施形態においては、フィードバック・メッセージは、その他のシグナリングを通じて伝送されることも可能である。
【００７８】
本発明のさまざまな実施形態によれば、フィードバック・メッセージは、プライマリ基地局およびセカンダリ基地局に対応するバッファ・エリアの状態をフィードバックするために情報（１）〜（４）のうちの１つまたはそれらの組合せを含むことができる。
【００７９】
（１）フィードバック・メッセージは、それぞれプライマリ基地局およびセカンダリ基地局に対応する第１の無線ベアラのバッファ・エリアにおけるバッファされているデータのボリュームを含む。
【００８０】
フィードバック・メッセージのレポートは、従来のバッファ・ステータス・レポートと同様であるが、相違点として、従来のバッファ状態レポートによって報告されるのが、すべての無線ベアラ上のユーザ機器のバッファされているデータのボリュームである一方で、本発明のフィードバック・メッセージは、それぞれプライマリ基地局およびセカンダリ基地局に対応する関係している無線ベアラ（すなわち、分割ベアラ）のバッファ・エリアにおけるバッファされているデータのボリュームを報告するだけである。加えて、従来のバッファ・ステータス・レポートに関するトリガー・メカニズムと同じトリガー・メカニズム（たとえば、定期的なトリガー、またはイベント・トリガー）のほかに、本発明のフィードバック・メッセージに関するその他の特有のトリガー・メカニズムもある。たとえば、セカンダリ基地局に対応する第１の無線ベアラのバッファ・エリアにおけるバッファされているデータのボリュームに対する、プライマリ基地局に対応する第１の無線ベアラのバッファ・エリアにおけるデータ量のパーセンテージが、所定のしきい値よりも大きいか、または別の所定のしきい値よりも小さいとき場合には、フィードバック・メッセージの報告がトリガーされることが可能である。所定のしきい値の値は、実際の状況に従って設定されることが可能であり、本発明は、それに対する制限を有していない。従来のバッファ・ステータス・レポートおよび本発明のフィードバック・メッセージが、伝送のために同時にトリガーされた場合には、一実施形態においては、プライマリ基地局に対応するバッファ・ステータス・レポートに関しては、従来のバッファ・ステータス・レポートのみが伝送されるということに留意されたい。なぜなら、それは、フィードバック・メッセージの内容を含んでいるからである。加えて、セカンダリ基地局に対応する第１の無線ベアラに関するバッファ・ステータス・レポートが報告されることも可能である。さらなる一実施形態においては、プライマリ基地局およびセカンダリ基地局に対応するバッファ・ステータス・レポートに関しては、従来のバッファ・ステータス・レポートのみが伝送されることが可能である。なぜなら、それは、フィードバック・メッセージの内容を含んでいるからである。
【００８１】
フィードバック・メッセージは、ＭＡＣ  ＣＥによって伝送されることが可能である。報告される必要があるのは、バッファされているデータのボリュームであるので、本発明の実施形態によれば、ＭＡＣ  ＣＥは、プライマリ基地局およびセカンダリ基地局に対応するバッファ・エリアにおけるバッファされているデータのボリュームに対応するバッファ・ステータス・レポートＢＳＲを含むことができ、新たな論理チャネル識別子（ＬＣＩＤ）によって識別されることが可能である。一実施形態においては、ＢＳＲは、図４Ａにおいて示されているように、６ビットを占めることができる。その他の実施形態においては、ＢＳＲは、より多くのビットまたはより少ないビットを占めることもでき、本発明は、それに対する制限を有していない。
【００８２】
本発明の実施形態によれば、分割ベアラに関するフィードバック・メッセージのみが報告される場合には、プライマリ基地局およびセカンダリ基地局に対応するバッファ・エリアにおけるバッファされているデータのボリュームは、２つの短いＢＳＲによってそれぞれ識別されることが可能である。その上、プライマリ基地局およびセカンダリ基地局に対応する分割ベアラ上のバッファされているデータのボリュームは、所定の順序でＭＡＣ  ＣＥ内に配置されることが可能であり、新たなＬＣＩＤ識別子を使用して、現在のフィードバック・メッセージが２つの短いＢＳＲを有しているということを識別し、すなわち、１つの無線分割ベアラに関するフィードバック・メッセージが含まれるだけであり、フィードバック情報は、プライマリ基地局およびセカンダリ基地局に対応するバッファ・エリアにおけるバッファされているデータのボリュームを含む。ユーザ端末は複数の分割ベアラを使用することができるので、本発明の別の実施形態によれば、長いＢＳＲを使用して、それぞれプライマリ基地局およびセカンダリ基地局に対応する複数の無線ベアラのバッファ・エリアにおけるバッファされているデータのボリュームを識別することができる。その上、プライマリ基地局およびセカンダリ基地局に対応する複数の無線ベアラのバッファ・エリアにおけるバッファされているデータのボリュームは、所定の順序でＭＡＣ  ＣＥ内に配置されることが可能である。たとえば、図４Ｂにおいて示されているように、４つの分割ベアラがあると想定されたい。プライマリ基地局に対応する４つの無線ベアラのバッファ・エリアにおけるバッファされているデータのボリュームは、図４Ｂにおける長いＢＳＲを使用して伝送されることが可能であり、それぞれの分割ベアラは、対応するバッファ・フィールド＃０〜＃３に対応する。セカンダリ基地局も、同様の長いＢＳＲを使用することができる。加えて、新たなＬＣＩＤを使用して、現在のフィードバック・メッセージＭＡＣ  ＣＥが、プライマリ基地局に対応する長いＢＳＲおよびセカンダリ基地局に対応する長いＢＳＲを含む２つの長いＢＳＲを有しているということを識別することもできる。フィードバック・メッセージの伝送フォーマットは、上では具体的な数値を通じて例示的に示されているにすぎないということに留意されたい。上で示されているフォーマットに加えて、その他のフォーマットを使用してフィードバック・メッセージを報告することも可能である。
【００８３】
（２）フィードバック・メッセージは、それぞれプライマリ基地局およびセカンダリ基地局に対応する第１の無線ベアラのバッファ・エリアにおけるバッファされているデータのボリュームどうしの間における比率を含む。
【００８４】
この実施形態においては、ユーザ機器は、それらの間における比率を、それぞれプライマリ基地局およびセカンダリ基地局に対応する第１の無線ベアラのバッファ・エリアにおけるバッファされているデータのボリュームに基づいて計算し、次いでその計算された比率をフィードバック・メッセージとしてプライマリ基地局へ伝送する。そのフィードバック・メッセージによって占められるビットの数は、計算された比率の細かさに関連している。細かさが相対的に細かい場合には、フィードバック・メッセージを伝送するために使用されるビットの数は、より大きくなり、そうではなく、細かさが相対的に粗い場合には、フィードバック・メッセージを伝送するためのビットの数は、より小さくなる。
【００８５】
本発明の実施形態においては、フィードバック・メッセージは、定期的に、またはトリガーされたイベントに従って報告されることが可能である。一実施形態においては、計算された比率が所定のしきい値よりも大きいか、またはさらなるしきい値よりも小さい場合には、フィードバック・メッセージの報告がトリガーされる。所定のしきい値の値は、実際の状況に従って設定されることが可能であり、本発明は、それに対する具体的な制限を有していない。
【００８６】
（３）フィードバック・メッセージは、第１のインジケータを含み、その第１のインジケータは、それぞれプライマリ基地局およびセカンダリ基地局に対応する第１の無線ベアラのバッファ・エリアにおけるバッファされているデータのボリュームどうしの間における比率が、第１のしきい値よりも大きいかどうか、または第２のしきい値よりも小さいかどうかを示す。
【００８７】
この実施形態においては、フィードバック・メッセージは、トリガーされたイベントに従ってプライマリ基地局へ報告される。たとえば、第１のインジケータの値が特定されることが可能であるケースにおいては、ユーザ端末は、第１のインジケータを含むフィードバック・メッセージをプライマリ基地局へ報告する。
【００８８】
一例においては、第１のインジケータは、１ビットを占める。その他の例においては、第１のインジケータは、より多くのビットを占めることができる。プライマリ基地局に対応する第１の無線ベアラのバッファ・エリアにおけるバッファされているデータのボリュームに関する比率が、第１のしきい値よりも大きい場合には、第１のインジケータは「１」に設定され、そうでない場合には、それは「０」に設定される。別の例においては、プライマリ基地局に対応する第１の無線ベアラのバッファ・エリアにおけるバッファされているデータのボリュームに関する比率が、第２のしきい値よりも小さい場合には、第１のインジケータは「１」に設定され、そうでない場合には、それは「０」に設定される。第１のしきい値および第２のしきい値は、同じであってもよく、または異なっていてもよく、それらの値は、実際の状況に基づいて設定されることが可能である。本発明は、それに対する具体的な制限を有していない。
【００８９】
（４）フィードバック・メッセージは、第２のインジケータおよび第３のインジケータを含み、第２のインジケータは、プライマリ基地局に対応する第１の無線ベアラのバッファ・エリアにおけるバッファされているデータのボリュームが、第３のしきい値よりも大きいかどうか、または第４のしきい値よりも小さいかどうかを示し、第３のインジケータは、セカンダリ基地局に対応する第１の無線ベアラのバッファ・エリアにおけるバッファされているデータのボリュームが、第５のしきい値よりも大きいかどうか、または第６のしきい値よりも小さいかどうかを示す。
【００９０】
この実施形態においては、フィードバック・メッセージは、トリガーされたイベントに従ってプライマリ基地局へ報告される。たとえば、第２のインジケータの値または第３のインジケータの値が特定されることが可能であるケースにおいては、ユーザ端末は、第２のインジケータおよび第３のインジケータを含むフィードバック・メッセージをプライマリ基地局へ報告する。
【００９１】
一例においては、第２のインジケータおよび第３のインジケータは、それぞれ１ビットを占める。その他の例においては、第２のインジケータまたは第３のインジケータは、より多くのビットを占めることができる。
【００９２】
一例においては、プライマリ基地局に対応する第１の無線ベアラのバッファ・エリアにおけるバッファされているデータのボリュームが、第３のしきい値よりも大きい場合には、第２のインジケータは「１」に設定され、そうでない場合には、それは「０」に設定される。別の例においては、プライマリ基地局に対応する第１の無線ベアラのバッファ・エリアにおけるバッファされているデータのボリュームが、第４のしきい値よりも小さい場合には、第２のインジケータは「１」に設定され、そうでない場合には、それは「０」に設定される。
【００９３】
さらなる一例においては、セカンダリ基地局に対応する第１の無線ベアラのバッファ・エリアにおけるバッファされているデータのボリュームが、第５のしきい値よりも大きい場合には、第３のインジケータは「１」に設定され、そうでない場合には、それは「０」に設定される。またさらなる一例においては、セカンダリ基地局に対応する第１の無線ベアラのバッファ・エリアにおけるバッファされているデータのボリュームが、第６のしきい値よりも小さい場合には、第３のインジケータは「１」に設定され、そうでない場合には、それは「０」に設定される。
【００９４】
上述の例においては、第３、第４、第５、および第６のしきい値は、同じであってもよく、または異なっていてもよい。それらの値は、実際の状況に従って設定されることが可能であり、本発明は、それに対する具体的な制限を有していない。
【００９５】
ユーザ端末がフィードバック・メッセージを報告し、プライマリ基地局がそのフィードバック・メッセージに基づいてフロー比率を特定するということについて上述した。
【００９６】
さらに、第１および第２の通信情報ならびにフィードバック・メッセージはすべて、定期的にまたはトリガーされたイベントに従って、プライマリ基地局へ伝送されることが可能であるので、フロー比率を特定する際に、プライマリ基地局は、第１および第２の通信情報ならびにフィードバック・メッセージを総合的に考慮することもできる。したがって、本発明のさらなる一実施形態によれば、プライマリ基地局は、第１および第２の通信情報ならびに／またはフィードバック・メッセージに基づいて、定期的にまたはトリガーされたイベントに従って、第１の無線ベアラに関するフロー比率を特定する。
【００９７】
プライマリ基地局がフロー比率を再特定した後に、その特定されたフロー比率は、以前に特定されたフロー比率と同じであってもよく、または異なっていてもよい。一実施形態においては、特定されたフロー比率が、以前に特定されたフロー比率と異なるかどうかにかかわらず、その特定されたフロー比率は、ユーザ端末へ伝送されることになる。その他の実施形態においては、特定されたフロー比率は、その特定されたフロー比率が、以前に特定されたフロー比率と異なる場合にのみ、ユーザ端末へ伝送され、それによってユーザ端末は、プライマリ基地局およびセカンダリ基地局を通じて伝送されるように割り当てられるデータ・ボリュームを、その変化したフロー比率に基づいて再特定する。
【００９８】
プライマリ基地局が第１および第２の通信情報に基づいてフロー比率を特定し、それによってユーザ端末が、そのフロー比率に基づいてそれぞれプライマリ基地局およびセカンダリ基地局を通じて第１のベアラ上でデータを効果的に伝送するということについて上述した。加えて、プライマリ基地局は、ユーザ端末からの第１および第２の通信情報ならびに後続のフィードバック・メッセージに基づいて、定期的に、またはトリガーされたイベントに従ってフロー比率を動的に繰り返し調整することもでき、それによってフロー・コントロール・スキームは、変化したチャネル状況および負荷状況に合わせ、それによって、より効果的なフロー・コントロールを達成する。
【００９９】
図５は、本発明の実施形態による、プライマリ基地局、セカンダリ基地局、およびユーザ端末のすべてではないがいくつかのレイヤ、ユニット、または機能モジュール、ならびにそれらの間における情報のやり取りの概略図を示している。
【０１００】
図５においては、セカンダリ基地局は、自分自身のチャネル情報および／または負荷情報を収集し、それらをＲＲＭユニット内に格納して（その他の例においては、それらは、その他のコンポーネント内に格納されることも可能である）、定期的に、またはトリガーされたイベントに従って、プライマリ基地局のフロー・コントロール・ユニットへ伝送する。その他の例においては、セカンダリ基地局は、収集されたチャネル情報および／または負荷情報をその他のユニット内に格納して、後でプライマリ基地局へ伝送することができ、またはそれらをプライマリ基地局へ直接伝送することもできる。
【０１０１】
図５においては、ユーザ端末は、定期的に、またはトリガーされたイベントに従って、プライマリ基地局のチャネル情報および／またはセカンダリ基地局のチャネル情報をプライマリ基地局へ伝送し、定期的に、またはトリガーされたイベントに従って、フィードバック・メッセージをプライマリ基地局へ伝送する。プライマリ基地局のチャネル情報および／もしくはセカンダリ基地局のチャネル情報、またはユーザ端末によって伝送されるフィードバック・メッセージは、プライマリ基地局のＭＡＣレイヤへ伝送されることが可能であり、必要な場合には、ＭＡＣレイヤは、それらをフロー・コントロール・ユニットへ伝送して、フロー比率の特定を容易にする。その他の例においては、プライマリ基地局のチャネル情報および／もしくはセカンダリ基地局のチャネル情報、またはユーザ端末によって伝送されるフィードバック・メッセージは、ユーザ端末のその他のレイヤ、ユニット、または機能モジュールを介してプライマリ基地局のその他のレイヤ、ユニット、または機能モジュールへ伝送されることも可能である。
【０１０２】
図５においては、プライマリ基地局のフロー・コントロール・ユニットは、受信された情報に基づいて、定期的に、またはトリガーされたイベントに従って、フロー比率を特定する。次いでプライマリ基地局は、フロー比率をユーザ端末へ伝送する。フロー比率がＲＲＣシグナリングを通じて伝送される場合には、そのフロー比率は、ユーザ端末の物理的な（ＰＨＹ）レイヤへ伝送されることが可能であり、次いでＰＨＹレイヤ、ＭＡＣレイヤ、およびＲＬＣレイヤにおいて解析および抽出などのオペレーションを受けた後にＰＤＣＰレイヤへ伝送されることが可能である。その他の例においては、フロー比率は、その他のシグナリングを介して伝送されることが可能であり、その他のレイヤ、ユニット、または機能モジュールを介してユーザ端末のＰＤＣＰレイヤへ伝送されることが可能である。
【０１０３】
ユーザ端末のＰＤＣＰレイヤは、それぞれプライマリ基地局およびセカンダリ基地局を通じて第１の無線ベアラ上で伝送されることになるデータをフロー比率に基づいて特定する。
【０１０４】
上述のフロー・コントロール・プロセスは、定期的に、またはトリガーされたイベントに従って継続的に実行されることが可能である。図５は、例示的な目的で示されているにすぎないということに留意されたい。プライマリ基地局、セカンダリ基地局、およびユーザ端末は、図５において示されているレイヤ、ユニット、または機能モジュールのほかに、その他のレイヤ、ユニット、または機能モジュールから構成されることも可能である。その上、図において示されている情報対話に加えて、プライマリ基地局、セカンダリ基地局、およびユーザ端末の間におけるその他の情報対話が存在する場合もある。
【０１０５】
図６は、本発明の一実施形態による、デュアル接続システムにおけるフロー・コントロールのための装置６００の概略ブロック図を示している。装置６００は、デュアル接続システムにおけるプライマリ基地局であること、またはそのプライマリ基地局内に含まれることが可能である。図６において示されているように、装置６００は、セカンダリ基地局の第１の通信情報およびプライマリ基地局の第２の通信情報を入手するように構成されている入手ユニット６０１を含み、第１の通信情報は、セカンダリ基地局の負荷情報およびチャネル情報のうちの少なくとも１つを含み、第２の通信情報は、プライマリ基地局の負荷情報およびチャネル情報のうちの少なくとも１つを含む。装置６００は、第１の通信情報および第２の通信情報に基づいて第１の無線ベアラに関するフロー比率を特定するように構成されている特定ユニット６０２と、フロー比率をユーザ端末へ伝送するように構成されている伝送ユニット６０３とをさらに含む。
【０１０６】
本発明の一実施形態によれば、セカンダリ基地局の負荷情報は、すべての無線ベアラ上のセカンダリ基地局の合計負荷、および第１の無線ベアラ上のセカンダリ基地局の負荷のうちの少なくとも１つを含み、セカンダリ基地局のチャネル情報は、セカンダリ基地局のチャネル状況、およびセカンダリ基地局のチャネル品質インジケータＣＱＩのうちの少なくとも１つを含み、プライマリ基地局の負荷情報は、すべての無線ベアラ上のプライマリ基地局の合計負荷、および第１の無線ベアラ上のプライマリ基地局の負荷のうちの少なくとも１つを含み、プライマリ基地局のチャネル情報は、プライマリ基地局のチャネル状況、およびプライマリ基地局のチャネル品質インジケータＣＱＩのうちの少なくとも１つを含む。
【０１０７】
本発明の一実施形態によれば、セカンダリ基地局の負荷情報は、セカンダリ基地局から入手され、セカンダリ基地局のチャネル情報は、セカンダリ基地局またはユーザ端末から入手され、プライマリ基地局の負荷情報は、プライマリ基地局から直接入手され、プライマリ基地局のチャネル情報は、ユーザ端末から入手される。
【０１０８】
本発明の一実施形態によれば、第１の無線ベアラは、分割ベアラである。本発明の別の実施形態によれば、フロー比率は、無線リソース・コントロールＲＲＣシグナリングを通じてユーザ機器へ伝送される。
【０１０９】
本発明の一実施形態によれば、セカンダリ基地局の負荷情報およびチャネル情報ならびにプライマリ基地局のチャネル情報のそれぞれは、定期的にまたはトリガーされたイベントに従って伝送される。
【０１１０】
本発明の一実施形態によれば、装置６００はさらに、ユーザ端末によって第１の無線ベアラに関して報告されたフィードバック・メッセージを受信するように構成されている受信ユニット６０４を含む。
【０１１１】
本発明の一実施形態によれば、特定ユニット６０２はさらに、第１および第２の通信情報に基づいて、および／またはフィードバック・メッセージに基づいて、定期的に、またはトリガーされたイベントに従って、第１の無線ベアラに関するフロー比率を特定するように構成されている。
【０１１２】
本発明の一実施形態によれば、フィードバック・メッセージは、メディア・アクセス・コントロールのコントロール要素ＭＡＣ  ＣＥを介して伝送される。フィードバック・メッセージは、定期的にまたはトリガーされたイベントに従って報告される。
【０１１３】
本発明の一実施形態によれば、フィードバック・メッセージは、それぞれプライマリ基地局およびセカンダリ基地局に対応するバッファ・エリアにおけるバッファされているデータのボリュームを含む。一実施形態においては、ＭＡＣ  ＣＥは、それぞれプライマリ基地局およびセカンダリ基地局に対応するバッファ・エリアにおけるバッファされているデータのボリュームに対応するバッファ・ステータス・レポートＢＳＲを含み、新たな論理チャネル識別子ＬＣＩＤによって識別される。
【０１１４】
本発明の別の実施形態によれば、フィードバック・メッセージは、それぞれプライマリ基地局およびセカンダリ基地局に対応する第１の無線ベアラのバッファ・エリアにおけるバッファされているデータのボリュームどうしの間における比率を含む。
【０１１５】
本発明のさらなる一実施形態によれば、フィードバック・メッセージは、第１のインジケータを含み、その第１のインジケータは、それぞれプライマリ基地局およびセカンダリ基地局に対応する第１の無線ベアラのバッファ・エリアにおけるバッファされているデータのボリュームどうしの間における比率が、第１のしきい値よりも大きいかどうか、または第２のしきい値よりも小さいか、を示す。
【０１１６】
本発明のまたさらなる一実施形態によれば、フィードバック・メッセージは、第２のインジケータおよび第３のインジケータを含み、第２のインジケータは、プライマリ基地局に対応する第１の無線ベアラのバッファ・エリアにおけるバッファされているデータのボリュームが第３のしきい値よりも大きいかどうか、または第４のしきい値よりも小さいかどうかを示し、第３のインジケータは、セカンダリ基地局に対応する第１の無線ベアラのバッファ・エリアにおけるバッファされているデータのボリュームが第５のしきい値よりも大きいかどうか、または第６のしきい値よりも小さいかどうかを示す。
【０１１７】
図７は、本発明の別の実施形態による、デュアル接続システムにおけるフロー・コントロールのための装置７００の概略ブロック図を示している。装置７００は、ユーザ端末であること、またはそのユーザ端末内に含まれることが可能である。図７において示されているように、装置７００は、第１の無線ベアラに関するフロー比率をプライマリ基地局から受信するように構成されている受信ユニット７０１を含む。装置７００はさらに、それぞれプライマリ基地局およびセカンダリ基地局を通じて第１の無線ベアラ上で伝送されることになるデータをフロー比率に基づいて特定するように構成されている特定ユニット７０２を含む。
【０１１８】
本発明の一実施形態によれば、フロー比率は、無線リソース・コントロールＲＲＣシグナリングを通じて受信される。本発明の別の実施形態によれば、第１の無線ベアラは、分割ベアラである。
【０１１９】
本発明の一実施形態によれば、特定ユニット７０２はさらに、プライマリ基地局へ伝送されることになる第１のデータおよびセカンダリ基地局へ伝送されることになる第２のデータを、フロー比率および伝送されることになる合計データに基づいて特定し、第１のデータを、プライマリ基地局へ伝送されるように、プライマリ基地局に対応する第１の無線ベアラのバッファ・エリアへとバッファし、第２のデータを、セカンダリ基地局へ伝送されるように、セカンダリ基地局に対応する第１の無線ベアラのバッファ・エリアへとバッファするように構成されている。
【０１２０】
本発明の一実施形態によれば、装置７００はさらに、それぞれプライマリ基地局およびセカンダリ基地局に対応する第１の無線ベアラのバッファ・エリアにおけるバッファされているデータのボリュームに基づいてフィードバック・メッセージをプライマリ基地局へ報告するように構成されているフィードバック・ユニット７０３を含む。
【０１２１】
本発明の一実施形態によれば、フィードバック・メッセージは、メディア・アクセス・コントロールのコントロール要素ＭＡＣ  ＣＥへ伝送される。本発明の一実施形態によれば、フィードバック・メッセージは、定期的に、またはトリガーされたイベントに従って、プライマリ基地局へ報告される。
【０１２２】
本発明の一実施形態によれば、フィードバック・メッセージは、それぞれプライマリ基地局およびセカンダリ基地局に対応する第１の無線ベアラのバッファ・エリアにおけるバッファされているデータのボリュームを含む。一実施形態においては、ＭＡＣ  ＣＥは、それぞれプライマリ基地局およびセカンダリ基地局に対応するバッファ・エリアにおけるバッファされているデータのボリュームに対応するバッファ・ステータス・レポートＢＳＲを含み、新たな論理チャネル識別子ＬＣＩＤによって識別される。
【０１２３】
本発明の別の実施形態によれば、フィードバック・メッセージは、それぞれプライマリ基地局およびセカンダリ基地局に対応する第１の無線ベアラのバッファ・エリアにおけるバッファされているデータのボリュームどうしの間における比率を含む。
【０１２４】
本発明のさらなる実施形態によれば、フィードバック・メッセージは、第１のインジケータを含み、その第１のインジケータは、それぞれプライマリ基地局およびセカンダリ基地局に対応する第１の無線ベアラのバッファ・エリアにおけるデータ量どうしの間における比率が、第１のしきい値よりも大きいということ、または第２のしきい値よりも小さいということを示す。
【０１２５】
本発明のまたさらなる一実施形態によれば、フィードバック・メッセージは、第２のインジケータおよび第３のインジケータを含み、第２のインジケータは、プライマリ基地局に対応する第１の無線ベアラのバッファ・エリアにおけるバッファされているデータのボリュームが、第３のしきい値よりも大きいかどうか、または第４のしきい値よりも小さいかどうかを示し、第３のインジケータは、セカンダリ基地局に対応する第１の無線ベアラのバッファ・エリアにおけるバッファされているデータのボリュームが、第５のしきい値よりも大きいかどうか、または第６のしきい値よりも小さいかどうか、を示す。
【０１２６】
図６における装置６００および図７における装置７００は、それぞれ図１および図２において示されている方法を実施することができるということがわかる。また、示されてはいないが、装置６００および装置７００はさらに、図１の方法１００および図２の方法２００に関連して説明されている複数の実施形態を実施するために、より多くの機能ユニットを含むことができる。
【０１２７】
本発明の実施形態は、ハードウェア、ソフトウェア、またはソフトウェアおよびハードウェアの組合せを通じて実施されることが可能であるということに留意されたい。ハードウェア部分は、専用のロジックを通じて実施されることが可能であり、ソフトウェア部分は、メモリ内に格納されて、システム、たとえばマイクロプロセッサ、または専用に設計されたハードウェアを実行する適切な命令によって実行されることが可能である。上述の装置および方法は、コンピュータ実行可能命令を使用して実施されること、および／またはプロセッサ制御コード内に含まれることが可能であるということを当技術分野における標準的な技術者なら理解することができ、たとえば、そのようなコードは、ディスク、ＣＤ、もしくはＤＶＤ−ＲＯＭなどのキャリア・メディア、読み取り専用メモリ（ファームウェア）などのプログラム可能なメモリ、または光学的もしくは電子的信号キャリアなどのデータ記憶媒体において提供されることが可能である。本発明による装置、ならびにそれらのモジュールは、超大規模集積回路もしくはゲート・アレイなどのハードウェア回路、ロジック・チップ、トランジスタ等などの半導体、またはフィールド・プログラマブル・ゲート・アレイ、プログラマブル・ロジック・デバイス等などのプログラム可能なハードウェア・デバイスによって実施されることが可能であり、またはさまざまな種類のソフトウェアによって実行されるソフトウェアによって実施されること、または上述のハードウェア回路およびソフトウェアの組合せ、たとえば、ファームウェアによって実施されることが可能である。
【０１２８】
上述の詳細な説明においては、これらの装置の複数のモジュールおよびサブモジュールに言及しているが、そのような区分は、非強制的なものにすぎないということに留意されたい。実際に、本発明の実施形態によれば、上述の複数のモジュールの特徴および機能は、１つのモジュール内で具体化されることが可能である。逆に、上述の１つのモジュールの特徴および機能は、インスタンス化するために複数のモジュールへとさらに分割されることが可能である。
【０１２９】
加えて、図面においては、本発明の方法のオペレーションが特定のシーケンスで説明されているが、それは、これらのオペレーションがそれらの特定のシーケンスに従って実行されるべきであるということ、または所望の結果は、示されているオペレーションをすべて実行することによってのみ達成されることが可能であるということを必要とするものではなく、または示唆するものでもない。逆に、フローチャートにおいて示されているステップは、実行シーケンスを変更することができる。追加として、または代替として、いくつかのステップが省略されることが可能であり、複数のステップが実行のために１つのステップへまとめられることが可能であり、および／または１つのステップが実行のために複数のステップへと分解されることが可能である。
【０１３０】
本発明について、複数の好ましい実施形態を参照しながら説明してきたが、本発明は、開示されている特定の実施形態に限定されるものではないということを理解されたい。本発明は、添付の特許請求の範囲の趣旨および範囲内に含まれるさまざまな修正および均等なアレンジをカバーすることを意図している。添付の特許請求の範囲の範疇は、最も幅広い説明に準拠し、それによって、すべてのそのような修正ならびに均等な構造および機能をカバーする。
【図１】
2017513370.tif 000003
【図２】
2017513370.tif 000004
【図３】
2017513370.tif 000005
【図４】
2017513370.tif 000006
【図５】
2017513370.tif 000007
【図６】
2017513370.tif 000008
【図７】
2017513370.tif 000009
【国際調査報告】
2017513370.tif 000010
2017513370.tif 000011
2017513370.tif 000012